(57)【要約】【課題】お寺や神社がご祈祷やお祓いの依頼者から、ご祈祷やお祓いを受けたい物品を画像化したデータを受信し、そのデータを画像を表示し、ご祈祷又はお祓いを行う者がその表示された画像に向かって前記ご祈祷を行っている姿を自動的に記録することは出来なかった。及び、ご祈祷やお祓いを行う指定期間中に忘れずに毎回、画像の表示装置に表示することや、間違って祈祷を行う者が写っていない記録画像を確認して削除することは出来なかった。【解決手段】お寺や神社で行われるご祈祷又はお祓い（以下「ご祈祷」という）を依頼する個人又は法人から、通信手段を用いて、ご祈祷を受けたい物品を画像化したデータを受信し、お寺や神社のご祈祷を行う場所に画像としてご祈祷の実行の指定期間中に表示して、その表示された画像に向かってご祈祷を行う人がご祈祷を実施した画像を記録し、その画像を送信又は出力することで、距離が離れている等の理由により、実際にご祈祷に行けない場合のご祈祷の実施を支援するシステム【選択図】図１
2016184379.tif 000002
【特許請求の範囲】
【請求項１】
お寺や神社で行われるご祈祷、供養、又はお祓い（以下「ご祈祷」という）を依頼する個人又は法人（以下「祈祷依頼者」という）から送られて来る、前記ご祈祷を受けたい物を画像化したデータ（以下「祈祷対象物データ」という）をお寺や神社内で画像として表示し、その「表示された画像」と「前記祈祷対象物データの表示された画像に対して前記ご祈祷を行う者（以下「祈祷者」という）が前記ご祈祷を行っている姿」を一緒に画像として記憶したデータ（以下「祈祷実行記録データ」という）を記録、送信又は出力する、通信を用いたご祈祷又はお祓いの実行及び記録システムであって、前記通信を用いたご祈祷又はお祓いの実行及び記録システムは、記憶装置、祈祷実行手段、祈祷記録抽出手段、祈祷実行記録確認手段、受信手段、及び送信手段を備え、前記ご祈祷依頼者の情報端末と、前記通信を用いたご祈祷又はお祓いの実行及び記録システムの管理者又は祈祷者の情報端末と、出力装置と、画像撮影装置と、画像表示装置とに、対してインターネット等のネットワークを介して通信可能にされており、前記記憶装置は、前記祈祷依頼者に係る前記祈祷依頼者データと、記憶した日時と前記ご祈祷を行う日数又は回数とを含んだ前記祈祷対象物データと、前記ご祈祷が実施された日時や回数を含んだ祈祷実行記録データとを記憶しており、前記受信手段が前記管理者又は祈祷者の情報端末からインターネット等のネットワーク経由で、「ご祈祷の実施指示データ」を受信して前記祈祷実行手段に送った場合には、前記祈祷実行手段が前記記憶装置から、前記ご祈祷の実施指示データに合致した前記祈祷対象物データと前記祈祷依頼者データとを抽出し、前記送信手段からインターネット等のネットワーク経由で送信し前記画像表示装置にて画像として表示する。そして、前記画像表示装置に表示された「前記祈祷対象物データと前記祈祷依頼者データを示す画像」と、その表示画像に対して「前記ご祈祷を行っている前記祈祷者の姿」とが一緒に映った画像（音声を含んでも良い）を、前記画像撮影装置で撮影及び録画して「前記祈祷実行記録データ」を作成してインターネット等のネットワーク経由で送信し、前記受信手段で受信して前記祈祷実行記録確認手段にて前記祈祷依頼者データと紐付けた上で、前記記憶装置に記憶することを特徴とする通信を用いたご祈祷又はお祓いの実行及び記録システム
【請求項２】
前記管理者又は祈祷者の情報端末から、インターネット等のネットワーク経由で前記祈祷実行記録データの送信又は出力の指示データ（前記祈祷依頼者データを含む）を受信した場合には、前記祈祷記録抽出手段が、前記記憶装置内に記憶されている、前記祈祷実行記録データの送信又は出力の指示データに係る前記祈祷実行記録データを、前記祈祷実行記録データに紐付いた前祈祷依頼者データ内に記載の前祈祷依頼者の情報端末宛てに送信する又は出力装置に送信することを特徴とする請求項１に記載の前記通信を用いたご祈祷又はお祓いの実行及び記録システム
【請求項３】
前記受信手段が前記祈祷実行記録データを受信した場合には、前記祈祷実行記録確認手段に送くり、前記祈祷実行記録確認手段が、前記祈祷実行記録データ内に前記祈祷者が映っているか否か又は前記祈祷者がご祈祷を行っているか否かを判断し、前記祈祷者が映っていない又は前記祈祷者がご祈祷を行っていない場合には、前記祈祷実行記録データを削除する及び前記管理者の情報端末にその内容を送信することを特徴とする請求項１ないし請求項３に記載の前記通信を用いたご祈祷又はお祓いの実行及び記録システム
【発明の詳細な説明】
【技術分野】
【０００１】本発明は、お寺や神社で行われるご祈祷又はお祓い（以下「ご祈祷」という）を、通信手段を用いて、依頼する個人又は法人（以下「祈祷依頼者」という）に係るデータ（以下「祈祷依頼者データ」という）と、前記祈祷依頼者が前記ご祈祷を受けたい物品を画像化したデータ（以下「祈祷対象物データ」いう）を、お寺や神社又はそれらの委託を受けた機関に送信すると、その送信された前記祈祷対象物データを、お寺や神社の前記ご祈祷を行う場所（以下「ご祈祷所」という）に画像として表示して、その表示された画像に対して又は向かって、前記ご祈祷を行う僧侶又は神職などの専門家（以下「祈祷者」という）が前記ご祈祷を実施する。及び、その表示画像に対して又は向かって行われた前記ご祈祷の様子（前記祈祷者の姿を含めた）を画像データとして作成して保管し、送信や出力をするためのコンピュータ管理システムに関し、特にインターネット等のネットワークに接続されたサーバ及びプログラムに事業運営の大部分を委ねた、通信を用いたご祈祷又はお祓いの実行及び記録システムに関する。尚、本システムは、前記祈祷依頼者が、自分が前記ご祈祷を受けたいお寺や神社と距離が離れている又は行く時間が無い等の理由により、前記ご祈祷を受けたい物品を運べない又は自分が行けない場合に、前記祈祷依頼者又は前記祈祷依頼者に前記ご祈祷を行ってあげたいお寺や神社を支援する。及び、実際に前記ご祈祷に立ち会えない又は行けない前記祈祷依頼者に対して、お寺や神社での前記ご祈祷の実施の証明を支援する。
【背景技術】
【０００２】通信ネットワークを介して接続された会員の端末と、社寺の端末と、サーバ装置と、を備え、祈祷シーンをライブで送信するシステムはあった。
【先行技術文献】
【特許文献】
【０００３】
【特許文献１】特開２００５−３０１５７２前記特許文献１の技術では、通信ネットワークを介して接続された会員の端末と、社寺の端末と、サーバ装置と、を備えた祈祷シーンデリバリーシステムにおいて、社寺は会員が指定した祈祷内容と時間にしたがって祈祷し、その祈祷シーンを前記社寺の端末から前記サーバ装置に送信し、前記サーバ装置は前記祈祷シーンをアップロードし、前記会員の端末で前記祈祷シーンをライブ受信、またはオンデマンド受信で再生できるデータストリーニング処理するデータストリーミング入力手段を備えたことを特徴とする祈祷シーンデリバリーシステムであり、会員から送られてきた映像を、前記祈祷シーンに挿入する又は前記祈祷シーンの一部と置き換えることができる画面編集機能をも持っていた。
【発明の概要】
【発明が解決しようとする課題】
【０００４】前記特許文献１の技術では、前記祈祷依頼者から、前記祈祷依頼者が前記ご祈祷を受けたい物品を画像化した前記祈祷対象物データを受信し、その前記祈祷対象物データを画像として前記祈祷者の前に表示し、前記ご祈祷者がその表示された画像に向かって前記ご祈祷を行っている姿を自動的に記録することは出来なかった。そこで、前記祈祷依頼者前記がご祈祷を受けたい物品を画像化した前記祈祷対象物データを画像として前記祈祷者の前に表示し、前記ご祈祷者がその表示された画像に向かってご祈祷を行う姿を表示画像と一緒に映っている画像を記録し、その後、前記祈祷依頼者に送信等で提示することが出来るようにした。これによって、前記祈祷依頼者から前記ご祈祷を受けたい物品を画像化して送ってもらい、その前記祈祷対象物データを画像して表示し、表示画像に向かって前記ご祈祷を行いその画像を前記祈祷依頼者に送るという「新しい前記ご祈祷の方法」が提供できるようになった。【０００５】及び、前記祈祷依頼者から送られてきた、前記祈祷対象物データを画像として表示し、その表示画像に向かって前記ご祈祷を前記祈祷者が行う場合には、保管済みの前記祈祷対象物データを、前記祈祷者が画像の表示装置の前に着いた前記ご祈祷を開始する時刻に合わせて、保管済みの前記祈祷対象物データの画像を画像表示装置に表示する必要があった。【０００６】また、お寺や神社の前記ご祈祷には、１０日祈願、１カ年祈願といった指定期間中に前記ご祈祷を続けるといった前記ご祈祷の仕組みが広く普及している。しかし、前記祈祷対象物データを画像して表示して、その表示画像に向かって前記ご祈祷を前記祈祷者が行うという新しい前記ご祈祷の方法を行うに際しては、前記祈祷依頼者よりデータとして預かっている前記祈祷対象物データを、指定期間中に忘れずに毎回、画像の表示装置に表示する必要があり、これをシステムで間違いなく毎回実行できる必要があった。（実行の記録も）【０００７】その上、前記特許文献１の技術では、前記祈祷対象物データが画像として表示された時に、間違って、前記祈祷者が、ご祈祷を行っていなかった場合には、記録データの削除又は管理者に再度ご祈祷を行う内容の連絡を行うといった情報処理は出来なかった。もし、間違って、前記祈祷者が前記ご祈祷を行っていない前記祈祷対象物データのみが映った光景を記録した画像が、前記祈祷依頼者に送られた場合には、前記ご祈祷を提供するお寺や神社にとって、大きな信用の失墜につながる大きなリスクであり、その大きなリスクを回避する為の課題を本発明では解決する必要もあった。
【課題を解決するための手段】
【０００８】本発明は、お寺や神社で行われるご祈祷、供養、又はお祓い（以下「ご祈祷」という）を依頼する個人又は法人（以下「祈祷依頼者」という）から送られて来る、前記ご祈祷を受けたい物を画像化したデータ（以下「祈祷対象物データ」という）をお寺や神社内で画像として表示し、その「表示された画像」と「前記祈祷対象物データの表示された画像に対して前記ご祈祷を行う者（以下「祈祷者」という）が前記ご祈祷を行っている姿」を一緒に画像として記憶したデータ（以下「祈祷実行記録データ」という）を記録、送信又は出力する、通信を用いたご祈祷又はお祓いの実行及び記録システムであって、前記通信を用いたご祈祷又はお祓いの実行及び記録システムは、記憶装置、祈祷実行手段、祈祷記録抽出手段、祈祷実行記録確認手段、受信手段、及び送信手段を備え、前記ご祈祷依頼者の情報端末と、前記通信を用いたご祈祷又はお祓いの実行及び記録システムの管理者又は祈祷者の情報端末と、出力装置と、画像撮影装置と、画像表示装置とに、対してインターネット等のネットワークを介して通信可能にされており、前記記憶装置は、前記祈祷依頼者に係る前記祈祷依頼者データと、記憶した日時と前記ご祈祷を行う日数又は回数とを含んだ前記祈祷対象物データと、前記ご祈祷が実施された日時や回数を含んだ祈祷実行記録データとを記憶しており、前記受信手段が前記管理者又は祈祷者の情報端末からインターネット等のネットワーク経由で、「ご祈祷の実施指示データ」を受信して前記祈祷実行手段に送った場合には、前記祈祷実行手段が前記記憶装置から、前記ご祈祷の実施指示データに合致した前記祈祷対象物データと前記祈祷依頼者データとを抽出し、前記送信手段からインターネット等のネットワーク経由で送信し前記画像表示装置にて画像として表示する。そして、前記画像表示装置に表示された「前記祈祷対象物データと前記祈祷依頼者データを示す画像」と、その表示画像に対して「前記ご祈祷を行っている前記祈祷者の姿」とが一緒に映った画像（音声を含んでも良い）を、前記画像撮影装置で撮影及び録画して「前記祈祷実行記録データ」を作成してインターネット等のネットワーク経由で送信し、前記受信手段で受信して前記祈祷実行記録確認手段にて前記祈祷依頼者データと紐付けた上で、前記記憶装置に記憶することを特徴とする通信を用いたご祈祷又はお祓いの実行及び記録システムである。【０００９】かかる構成によれば、前記祈祷依頼者から前記ご祈祷を受けたい物品を画像化して送ってもらい、その前記祈祷対象物データを画像して表示し、その表示画像に向かって前記ご祈祷を行うという「新しい前記ご祈祷の方法」が提供できるようになる。及び、撮影した前記祈祷実行記録データと前記祈祷依頼者データを紐付けられることで、前記ご祈祷の実施記録を前記祈祷依頼者と紐付けて記憶することが出来るようになる。また、お寺や神社の前記ご祈祷について広く普及している仕組みである、１０日祈願、１カ年祈願といった指定期間中、ずっと前記ご祈祷を続けるという形態に対応して、前記ご祈祷の指定期間中について、忘れずに毎回、画像の表示装置に表示することが実行出来るよいうになる。前記ご祈祷を行う日数又は回数に合わせて前記ご祈祷の実施し記録することも出来るようになる。【００１０】本発明は、前記管理者又は祈祷者の情報端末から、インターネット等のネットワーク経由で前記祈祷実行記録データの送信又は出力の指示データ（前記祈祷依頼者データを含む）を受信した場合には、前記祈祷記録抽出手段が、前記記憶装置内に記憶されている、前記祈祷実行記録データの送信又は出力の指示データに係る前記祈祷実行記録データを、前記祈祷実行記録データに紐付いた前祈祷依頼者データ内に記載の前祈祷依頼者の情報端末宛てに送信する又は出力装置に送信することを特徴とする請求項１に記載の前記通信を用いたご祈祷又はお祓いの実行及び記録システムである。【００１１】本発明は、前記受信手段が前記祈祷実行記録データを受信した場合には、前記祈祷実行記録確認手段に送くり、前記祈祷実行記録確認手段が、前記祈祷実行記録データ内に前記祈祷者が映っているか否か又は前記祈祷者がご祈祷を行っているか否かを判断し、前記祈祷者が映っていない又は前記祈祷者がご祈祷を行っていない場合には、前記祈祷実行記録データを削除する及び前記管理者の情報端末にその内容を送信することを特徴とする請求項１ないし請求項３に記載の前記通信を用いたご祈祷又はお祓いの実行及び記録システムである。【００１２】かかる構成によれば、前記祈祷対象物データが画像として表示された時に、間違って、前記祈祷者が、ご祈祷を行っていなかったことを記録した画像が、前記祈祷依頼者に送られる等といった、前記ご祈祷を提供するお寺や神社の大きな信用の失墜につながる大きなリスクを回避することが出来るようになる。
【発明の効果】
【００１３】前記ご祈祷を行うお寺や神社が、前記祈祷依頼者から前記ご祈祷を受けたい物品を画像化して通信を介して送ってもらい、その前記祈祷対象物データを画像して表示し、その表示画像に向かって前記ご祈祷を行う。そして前記ご祈祷の終了後に、前記ご祈祷を行ったお寺や神社がその前記ご祈祷の終了（完了）証明を通信を介して前記祈祷依頼者にお届けするという「新しい前記ご祈祷の方法」が提供できるようになる。具体的には、前記祈祷依頼者が、例えば自分の新しく購入した自動車への前記ご祈祷をお願いしたいが、実際には遠くて又は時間が無くて祈祷対象の自動車を持っていくことが出来ないお寺や神社に対して、新しく購入した自動車への前記ご祈祷の依頼ができ、お寺や神社での前記ご祈祷の完了時には、前記ご祈祷の完了証明として、実際に自分の自動車の画像に向かって前記ご祈祷が行われた光景の提示を受けることも出来る。これによって、前記祈祷依頼者は、自分が前記ご祈祷をして欲しいお寺や神社での、祈祷対象の自動車への前記ご祈祷を行っていただけた事が実感できるようになる。【００１４】また、従来からの前記ご祈祷を行うお寺や寺院が行う前記ご祈祷には、前記祈祷対象物に対して前記ご祈祷を行う日数や回数を定める仕組みが存在する。（その日数や回数に応じて前記ご祈祷の費用が変わる）本発明により、通信で前記ご祈祷を行う場合についても、前記祈祷依頼者に選択した前記ご祈祷を行う日数又は回数に合った前記ご祈祷が間違いなく行われる及びその日数又は回数の前記ご祈祷の実行を記録して、前記祈祷依頼者に対して送信又は送付でされることで、前記祈祷依頼者と前記ご祈祷を行うお寺や寺院の間の相互の確認が出来る、それにより相互の信頼感の維持又は向上に寄与することとなる。【００１５】そして、この「新しい前記ご祈祷の方法」を実施するに際して必要な、次の１〜５の機能を本発明に係るシステムで情報処理を行う事が出来るようになる。１．画像と合わせて実際にその画像に向かって前記祈祷者がご祈祷を行っている姿を記録する。２．前記祈祷者が画像の表示装置の前に着いた前記ご祈祷を開始する時刻に合わせて、保管済みの前記祈祷対象物データの画像を画像の表示装置に表示する。３．前記祈祷対象物データの画像への前記ご祈祷の記録画像と前記祈祷依頼者データと紐付けて保管する。４．前記ご祈祷を行う日数や回数を定めた従来からの前記ご祈祷の仕組みに対応し、前記祈祷依頼者よりデータとして預かっている前記祈祷対象物データを、前記ご祈祷を行う指定期間中に忘れずに毎回、画像を表示装置に表示する。５．前記祈祷者がご祈祷を行っていない前記祈祷対象物データを表示した光景を記録した画像は削除する。及びその連絡を前記管理者又は祈祷者の情報端末に送信する。これにより、前記ご祈祷を提供するお寺や神社の大きな信用の失墜につながる大きなリスクを回避することが出来るようになる。
【図面の簡単な説明】
【００１６】
【図１】通信を用いたご祈祷又はお祓いの実行及び記録システムのブロック構成図である
【図２】通信を用いたご祈祷又はお祓いの実行及び記録システムのフロー図の例である
【発明を実施するための形態】
【実施例１】
【００１７】本発明の実施形態について、本発明のコンピュータシステムを用いて、お寺や神社が前記祈祷依頼者に対して、前記祈祷対象物への前記ご祈祷を行う、及び記録することについて、インターネット等のネットワークを介して、前記祈祷依頼者の情報端末や前記管理者又は祈祷者の情報端末に通信可能に接続された形態でサービスを提供する場合の情報処理方法の１例につい適宜図面を参照しながら詳細に説明する。尚、前記祈祷依頼者が、自分が「新たに自分が購入した自動車（以下「祈祷対象の自動車」という）の交通安全」の祈願を受けるために、遠く離れた又は時間が無くて行けない等の理由で前記ご祈祷を請けに行くことが難しいお寺や神社に対して、前記祈祷対象の自動車の前記ご祈願を依頼し、そのお寺や神社の前記祈祷者が、前記インターネット等のネットワークを介して、前記祈祷対象の自動車の前記ご祈祷を実行し、その実行した画像を前記祈祷依頼者に送信又は送付して提示する場合について説明する。【００１８】尚、前記インターネット等のネットワークを介して、前記ご祈祷を実行が出来る前記祈祷対の物とは、前記祈祷者が前記画像表示装置に表示して前記ご祈願が出来るようにするために、前記祈祷対象物の外観等が写真等で写す他の各種の方法で電子データ化することが出来て又は予め電子データに記録されており、電子データの形態での前記対象物データとして、前記インターネット等のネットワークを介して送信する事が可能な前記祈祷対象物なら全て可能である。例えば、自動車等の物の他に、紙や電子媒体に記載又は記録した文章、絵、画像、写真、映像、楽譜、音声等である。【００１９】図１は、前記通信を用いたご祈祷又はお祓いの実行及び記録システムの（１）の１つの実施形態に係るブロック図であり、前記インターネットなどのネットワーク（２）に接続可能なサーバを中核とし、そのサーバの管理下にあるデータベースを伴って情報処理を実行するコンピュータシステム又はプログラムの構成図である。前記通信を用いたご祈祷又はお祓いの実行及び記録システム（１）は、記憶装置（１０）、祈祷実行手段（１１）、祈祷記録抽出手段（１２）、祈祷実行記録確認手段（１３）、受信手段（８）、及び送信手段（９）を備え、これらは前記通信を用いたご祈祷又はお祓いの実行及び記録システム（１）に配設されたそれぞれのコンピュータプログラムを実行することにより機能し、前記記憶装置（１０）には、前記祈祷依頼者データ（１３）と前記祈祷対象物データ（１４）と祈祷実行記録データ（１５）とが紐付けて記憶されている。【００２０】また、前記前記通信を用いたご祈祷又はお祓いの実行及び記録システム（１）は、前記インターネット等のネットワーク（２）を介して、パーソナルコンピュータ又は携帯端末を意味する情報端末である前記ご祈祷依頼者の情報端末（３）と前記管理者又は祈祷者の情報端末（４）と、及び出力装置（５）と画像撮影装置（６）と画像表示装置（７）との間での情報通信が自在であるとの前提である。【００２１】次に図２に沿って手順を説明する。（図２内の▲１▼）まず、前記祈祷依頼者の情報端末（３）より、前記祈祷依頼者データ（１３）と前記祈祷対象物データ（１４）を送信する。例えば、前記祈祷依頼者が前記祈祷対象の自動車の交通安全の祈願を受けるために、前記祈祷対象の自動車の写真を前記祈祷依頼者の情報端末（３）に備わったカメラで撮影し、そのデータを前記祈祷対象物データ（１４）として、前記ご祈祷を実施するお寺や神社が指定した電子アドレス宛てに、前記祈祷依頼者の情報端末（３）から送信することである。そして、前記インターネット等のネットワーク（２）を経由して送信されてきた前記祈祷依頼者データ（１３）と前記祈祷対象物データ（１４）とを前記ご祈祷を実施するお寺や神社が管理する前記通信を用いたご祈祷又はお祓いの実行及び記録システムの（１）の前記受信手段（８）で受信し、前記記憶装置（１０）に前記祈祷依頼者データ（１３）と前記祈祷対象物データ（１４）を紐付けて記憶する。尚、前記記憶装置（１０）に前記祈祷対象物データ（１４）を記憶するに際して、前記ご祈祷を行お寺や寺院が定めた又は前記祈祷依頼者に伝達又は約束、契約済みの「前記ご祈祷の実行日時又は回数データ」も前記祈祷対象物データ（１４）に紐付けて記憶しておく。【００２２】（図２内の▲２▼）その後、前記ご祈祷を実施するお寺や神社の前記祈祷者が、前記ご祈祷所の中の前記画像表示装置の前で、前記ご祈祷を行う時間又は前記ご祈祷の準備が整った時点で、前記ご祈祷を実施するお寺や神社の管理者又は前記祈祷者が操作を行う前記管理者又は祈祷者の情報端末（４）から、前記「ご祈祷の実行指示」をインターネット等のネットワーク（２）経由で、前記通信を用いたご祈祷又はお祓いの実行及び記録システム（１）に送信する。尚、前記「ご祈祷の実行指示」には、前記管理者又は祈祷者の情報端末（４）から前記「ご祈祷の実行指示」が送信される日時データが含まれている。【００２３】そして、その前記「ご祈祷の実行指示」を受信した前記通信を用いたご祈祷又はお祓いの実行及び記録システム（１）の前記受信手段（８）は受信した前記「ご祈祷の実行指示」を前記祈祷実行手段（１１）に送る。すると、前記祈祷実行手段（１１）は前記「ご祈祷の実行指示」に基づいて、前記記憶装置（１０）内から前記祈祷対象物データ（１４）とそれに紐づく前記祈祷依頼者データ（１３）を合わせて抽出し、前記送信手段（９）から、インターネット等のネットワーク（２）経由で、前記画像表示装置（７）に送信する。尚、抽出される前記祈祷対象物データ（１４）は、前記祈祷対象物データ（１４）に紐付けて記憶されている又は含まれている「前記ご祈祷の実行日時データ」が示す実行日時と、前記管理者又は祈祷者の情報端末（４）から送信されてきた前記「ご祈祷の実行指示」に含まれた日時データが示す日時とが合致した前記祈祷対象物データ（１４）に限られることなる。これにより、前記祈祷対象物に対して定めた前記ご祈祷を行う日数や回数に応じた前記ご祈祷の実行が間違いなく行えることとなるのである。【００２４】前記祈祷対象物データ（１４）と紐付いた前記祈祷依頼者データ（１３）を受信した前記画像表示装置（７）は、前記祈祷対象物データ（１４）をディスプレイ等の画面に表示する。そして、前記祈祷者は、前記画像表示装置（７）に表示された前記祈祷対象物データ（１４）の画像に向かって前記ご祈祷を行う。例えば、前記祈祷依頼者が前記ご祈祷を依頼した前記祈祷対象の自動車の写真が表示された画像に向かって、前記祈祷者が前記ご祈祷を行うのである。尚、この前記画像表示装置（７）での画像の表示には、前記祈祷対象物データ（１４）と紐付いて送られてきている前記祈祷依頼者データ（１３）を前記祈祷対象物データ（１４）の表示画像と一緒に表示しても良い、又は、前記祈祷依頼者データ（１３）をシリアル番号や記号として表示しても良い。また、この前記画像表示装置（７）に表示する前記祈祷対象物データ（１４）の画像は、一度に１枚の画像を表示しても良いし、一度に多くの画像を表示しても良い。【００２５】そして、前記画像撮影装置（６）で、前記祈祷対象物データ（１４）が表示された前記画像像表示装置（７）と前記祈祷者データ（１３）を一緒に撮影して、前記祈祷実行記録データ（１５）を作成する。尚、この前記祈祷実行記録データ（１５）には、前記画像表示装置（７）と前記画像撮影装置（６）を同期させて（同じ時刻に作動する）、前記画像撮影装置（６）において、前記画像表示装置（７）で表示されている前記祈祷対象物データ（１４）の画像に係る（紐付いた）前記祈祷依頼者データ（１３）を紐付ける情報処理を行っても良い。尚、この前記画像撮影装置（６）での前記祈祷実行記録データ（１５）への前記祈祷依頼者データ（１３）の紐付ける方法は、前記画像表示装置（７）と前記画像撮影装置（６）との同期によって紐付けても良いし、前記画像表示装置（７）に表示された前記祈祷対象物データ（１４）の画像と一緒に画像として表示された前記祈祷依頼者データ（１３）や前記祈祷依頼者データ（１３）を示したシリアル番号や記号を前記画像表示装置（７）が読み取って紐付けても良い。又は、この段階では、前記祈祷実行記録データ（１５）と前記祈祷者データ（１３）の紐付けは行わずに、後から前記祈祷実行記録確認手段（１６）で前記祈祷実行記録データ（１５）内に含まれている前記祈祷対象物データ（１４）の画像と一緒に写っている（記録されている）前記祈祷依頼者データ（１３）や前記祈祷依頼者データ（１３）を示すシリアル番号や記号を読み取って、前記祈祷実行記録データ（１５）と前記祈祷依頼者データ（１３）を紐付けても良い。【００２６】そして、前記画像撮影装置（６）は作成した前記祈祷実行記録データ（１５）をインターネット等のネットワーク（２）経由で送信する。そして前記受信手段（８）は受信した前記祈祷実行記録データ（１５）を前記祈祷実行記録確認手段（１６）に送り確認の情報処理を行う。その確認の情報処理とは、「前記祈祷実行記録データ（１５）に前記祈祷依頼者データ（１３）が紐付いている又は含まれているか否か」である。含まれている場合には、そのまま前記記憶装置（１０）に送って前記祈祷依頼者データ（１３）と紐付けて記憶する。含まれていない場合には、前記祈祷実行記録データ（１５）内の前記祈祷対象物データ（１４）の画像と一緒に写っている（記録されている）前記祈祷依頼者データ（１３）や前記祈祷依頼者データ（１３）を示すシリアル番号や記号を読み取って、前記祈祷実行記録データ（１５）と前記祈祷依頼者データ（１３）を紐付けてから前記記憶装置（１０）に送って前記祈祷依頼者データ（１３）を紐付けて記憶する。及び、前記祈祷依頼者データ（１３）が読み取れずに、前記祈祷実行記録データ（１５）に前記祈祷依頼者データ（１３）を紐付けることが出来ない場合には、その前記祈祷実行記録データ（１５）を消去し、その内容を前記管理者又は祈祷者の情報端末（４）に送信する。【００２７】（図２内の▲３▼）その後、前記ご祈祷を行ったお寺や神社の前記管理者又は祈祷者の情報端末（４）より、「ご祈祷の実行記録の出力指示（前記祈祷者データ（１３）を含む）」がインターネット等のネットワーク（２）経由で送信された後の情報処理方法を説明する。具体的には、前記ご祈祷を行ったお寺や神社から、前記祈祷依頼者に対して、前記祈祷対象の自動車への前記ご祈祷の完了の証明を提示する目的で、前記祈祷実行記録データ（１５）を画像化して送付するために、紙や電子媒体に出力するのである。又は、前記祈祷実行記録データ（１５）をデータのままでインターネット等のネットワーク（２）経由で前記祈祷依頼者の情報端末（３）に送信する方法で行っても良い。【００２８】そして、前記受信手段（８）で受信した「ご祈祷の実行記録の出力指示」を前記祈祷実行手段（１１）に送り、前記祈祷実行手段（１１）は前記記録装置（１０）から、この「ご祈祷の実行記録の出力指示（前記祈祷者データ（１３）を含む）」に基づき照合して抽出した前記祈祷実行記録データ（１５）と前記祈祷依頼者データ（１３）を、前記送信手段（３）から、インターネット等のネットワーク（２）経由で、前記出力装置（５）に送信し紙や電子媒体に出力して前記祈祷依頼者データ（１３）に含まれている前記祈祷依頼者の住所又は居所宛てに送付する、又は前記祈祷依頼者の情報端末（３）に送信する。尚、この送信や送付に合わせて、前記ご祈祷を行ったお寺や神社のお守りやお札といった前記ご祈祷と同じご利益の感じられる物やそれらの電子データを合わせて送信又は送付するようにすると良い。このように、前記ご祈祷を行ったお寺や神社から、前記祈祷依頼者に対して、前記祈祷対象の自動車への前記ご祈祷の完了の証明が提示されたことで、前記祈祷依頼者は、遠くて又は時間が無くて実際に前記祈祷対象の自動車を、自分が前記ご祈祷をして欲しいお寺や神社での、前記祈祷対象の自動車への前記ご祈祷を行っていただけた事を実感できるようになるのである。
【実施例２】
【００２９】次に、前記祈祷実行記録確認手段（１６）での、前記画像撮影装置（６）から送られてきた前記祈祷実行記録データ（１５）の確認の情報処理方法の別の実施例について説明する。それは、前記祈祷実行記録確認手段（１６）が、前記祈祷実行記録データ（１５）内の画像に「前記祈祷対象物データ（１４）の画像と一緒に前記祈祷者が映っているか否か」、又は「前記祈祷対象物データ（１４）の画像と一緒に前記祈祷者が前記ご祈祷を行っているか否か」の確認を行う情報処理である。「前記祈祷対象物データ（１４）の画像と一緒に前記祈祷者が映っているか」、又は「前記祈祷対象物データ（１４）の画像と一緒に前記祈祷者が前記ご祈祷を行っている」と判断した場合には、確認した前記祈祷実行記録データ（１５）を、前記記憶装置（１０）に前記祈祷依頼者データ（１３）と紐付けて記憶する。及び、「前記祈祷実行記録データ（１５）内の画像に前記祈祷対象物データ（１４）の画像と一緒に前記祈祷者が映っていない」、又は「前記祈祷対象物データ（１４）の画像と一緒に前記祈祷者が前記ご祈祷を行っていない」と判断した場合には、確認した前記祈祷実行記録データ（１５）を消去し、前記管理者又は祈祷者の情報端末（４）に、その内容を送信する。尚、これらの情報処理は、予め前記祈祷者の候補者の画像や前記祈祷者が前記ご祈祷を行ってる画像や音声を前記記憶装置（１０）に記憶しておき、前記祈祷実行記録確認手段（１６）が、前記祈祷実行記録データ（１５）内の画像と照合して、判断するようにしても良い。この情報処理の実施により、前記祈祷者がご祈祷を行っていない前記祈祷対象物データを表示した光景を記録した画像を送信又は送付することによって生じる、前記ご祈祷を提供するお寺や神社の大きな信用の失墜につながる大きなリスクを回避することが出来るようになる。
【実施例３】
【００３０】次に、前記ご祈祷を行うお寺や寺院が、前記祈祷対象物データ（１４）に記載する又は紐付けて記憶する前記ご祈祷の「前記ご祈祷の実行日時データ」に対応する情報処理について詳細に説明する。従来からの前記ご祈祷を行うお寺や寺院が行う前記ご祈祷には、前記祈祷対象物に対して前記ご祈祷を行う日数や回数を定める仕組みが存在する。（その日数や回数に応じて前記ご祈祷の費用が変わる）そこで、前記ご祈祷を行うお寺や寺院が、前記祈祷対象物データ（１４）に対して前記ご祈祷を行う日数又は回数（例えば、１日祈願、１０日祈願、１カ年祈願、１０回祈願、１００回祈願、他）の料金（前記ご祈祷料など）を定め、予め前記祈祷依頼者に選択される。そして、その選択した日数又は回数を、前記祈祷対象物データ（１４）内に記憶する又は前記祈祷対象物データ（１４）と紐付けて記憶しておく。また、回数の指定の場合には、例えば、前記ご祈祷の実施を１日１回とた場合には、開始日から最終日を算出し、開始日と最終日を前記ご祈祷の実行日時データとして、前記祈祷対象物データ（１４）に記載する又は紐付けて記憶すると良い。【００３１】すると、前記ご祈祷を実施するお寺や神社の管理者又は前記祈祷者が、自分が操作を行う前記管理者又は祈祷者の情報端末（４）から、前記「ご祈祷の実行指示」をインターネット等のネットワーク（２）経由で、前記通信を用いたご祈祷又はお祓いの実行及び記録システム（１）に送信した場合には、前記祈祷対象物データ（１４）に紐付けて記憶されている「前記ご祈祷の実行日時データ」が示す実行日時と、前記管理者又は祈祷者の情報端末（４）から送信されてきた前記「ご祈祷の実行指示」に含まれた日時データが示す日時とが合致した前記祈祷対象物データ（１４）の画像のみが前記画像表示装置（７）に表示される事となる。これにより、前記祈祷依頼者に選択された前記ご祈祷を行う日数又は回数に合った前記ご祈祷が間違いなく行われ、及びその前記ご祈祷の実行を記録した前記祈祷実行記録データ（１５）が作成されて、その前記ご祈祷を行う日数又は回数を選択した前記祈祷依頼者に送信又は送付で提示されることとなる。これにより、前記祈祷依頼者と前記祈祷依頼者から依頼を受けて前記ご祈祷を行ったお寺や寺院の間の相互の確認が出来ることにより、相互の信頼感の維持又は向上に寄与する。
【産業上の利用可能性】
【００３２】本発明は、携帯電話端末、ＰＤＡ（Ｐｅｒｓｏｎａｌ  Ｄｉｇｉｔａｌ  Ａｓｓｉｓｔａｎｔ）等の携帯端末、ＰＣ（パーソナルコンピュータ）、大型コンピュータ等のシステムの各サーバ又は端末装置に利用することが可能である。
【符号の説明】
【００３３】（１）前記通信を用いたご祈祷又はお祓いの実行及び記録システムの
（２）インターネット等のネットワーク
（３）前記ご祈祷依頼者の情報端末（
（４）前記管理者又は祈祷者の情報端末
（５）出力装置（５）
（６）画像撮影装置
（７）画像表示装置（
（８）受信手段
（９）送信手段
（１０）、記憶装置
（１１）祈祷実行手段
（１２）祈祷記録抽出手段
（１３）前記祈祷依頼者データ
（１４）前記祈祷対象物データ
（１５）祈祷実行記録データ
（１６）祈祷実行記録確認手段
【図１】
2016184379.tif 000003
【図２】
2016184379.tif 000004